(57)【要約】【課題】ユーザの好みに応じた封筒を注文することができる封筒注文装置を提供する。【解決手段】封筒注文装置は、注文する封筒のタイプ、サイズ、用紙の種類、テープの有無、窓の有無、枚数に基づいて注文価格を決定する価格決定部２２と、テープの有無と窓の有無に基づいて納期を計算する納期計算部２４と、前記情報を出力する出力部２６とを有する。【選択図】      図１
2011028444.tif 000002
【特許請求の範囲】
【請求項１】
注文する封筒が和封筒タイプか、又は、洋封筒タイプかのタイプが選択されるタイプ選択部と、
前記封筒の縦長さと横長さからなるサイズが入力されるサイズ入力部と、
前記封筒の色と用紙が選択される色用紙選択部と、
前記封筒の蓋におけるテープの有無が選択されるテープ選択部と、
前記封筒における窓の有無、前記窓のサイズ、前記窓の位置が選択される窓選択部と、
前記封筒の枚数が入力される枚数入力部と、
前記タイプ、前記サイズ、前記用紙の種類、前記テープの有無、前記窓の有無、前記枚数に基づいて注文価格を決定する価格決定部と、
前記テープの有無と前記窓の有無に基づいて納期を計算する納期計算部と、
前記タイプ、前記サイズ、前記用紙の色、前記テープの有無、前記窓の有無に基づいて前記封筒の完成状態、及び、前記タイプ、前記サイズ、前記用紙の色、前記テープの有無、前記窓の有無、前記枚数、前記注文価格を出力する出力部と、
を有することを特徴とする封筒注文装置。
【請求項２】
前記封筒の差出人情報、又は、付加情報の少なくとも一方を、前記封筒の表に印刷するか否かが決定され、前記印刷を行う場合に、前記差出人情報又は付加情報が入力される情報入力部を有する、
ことを特徴とする請求項１記載の封筒注文装置。
【請求項３】
前記価格決定部は、
予め設定された複数の設定サイズの縦長さと横長さと、前記入力したサイズの縦長さと横長さとをそれぞれ比較して、前記サイズの縦長さと横長さの両方が含まれる前記設定サイズを決定する設定サイズ決定部と、
前記タイプ毎に前記設定サイズと前記用紙の種類に対応した基準価格を記憶した価格記憶部と、
前記タイプと、前記用紙の種類と、前記決定した設定サイズに対応した前記基準価格を前記価格記憶部から呼び出す呼び出し部と、
前記呼び出した前記基準価格に、前記テープが有る場合は前記テープの価格を付加し、前記窓が有る場合は前記窓の価格を付加して、一枚当たりの前記封筒の価格を計算し、この一枚当たりの前記封筒の価格に枚数をかけて前記注文価格を計算する価格計算部と、
有することを特徴とする請求項１記載の封筒注文装置。
【請求項４】
前記納期計算部は、
予め設定した基準納期に、前記テープが有る場合は前記テープ貼り付け用の納期を付加し、前記窓が有る場合は前記窓を作成する納期を付加して、前記封筒の納期を計算する、
ことを特徴とする請求項１記載の封筒注文装置。
【請求項５】
サーバと、前記サーバに接続されたクライアントとから構成され、
前記サーバは、請求項１記載の封筒注文装置を有し、
前記クライアントは、前記タイプ選択部、前記サイズ入力部、前記色用紙選択部、前記テープ選択部、前記窓選択部、及び、前記枚数入力部を操作する操作部と、前記出力部からの情報を表示する表示部を有する、
ことを特徴とする封筒注文システム。
【請求項６】
コンピュータが、
注文する封筒が和封筒タイプか、又は、洋封筒タイプかのタイプが選択されるタイプ選択ステップと、
前記封筒の縦長さと横長さからなるサイズが入力されるサイズ入力ステップと、
前記封筒の色と用紙が選択される色用紙選択ステップと、
前記封筒の蓋におけるテープの有無が選択されるテープ選択ステップと、
前記封筒における窓の有無、前記窓のサイズ、前記窓の位置が選択される窓選択ステップと、
前記封筒の枚数が入力される枚数入力ステップと、
前記タイプ、前記サイズ、前記用紙の種類、前記テープの有無、前記窓の有無、前記枚数に基づいて注文価格を決定する価格決定ステップと、
前記テープの有無と前記窓の有無に基づいて納期を計算する納期計算ステップと、
前記タイプ、前記サイズ、前記用紙の色、前記テープの有無、前記窓の有無に基づいて前記封筒の完成状態、及び、前記タイプ、前記サイズ、前記用紙の色、前記テープの有無、前記窓の有無、前記枚数、前記注文価格を出力する出力ステップと、
を有することを特徴とする封筒注文方法。
【請求項７】
コンピュータに、
注文する封筒が和封筒のタイプ、又は、洋封筒のタイプかのタイプが選択されるタイプ選択機能と、
前記封筒の縦長さと横長さからなるサイズが入力されるサイズ入力機能と、
前記封筒の色と用紙が選択される色用紙選択機能と、
前記封筒の蓋におけるテープの有無が選択されるテープ選択機能と、
前記封筒における窓の有無、前記窓のサイズ、前記窓の位置が選択される窓選択機能と、
前記封筒の枚数が入力される枚数入力機能と、
前記タイプ、前記サイズ、前記用紙の種類、前記テープの有無、前記窓の有無、前記枚数に基づいて注文価格を決定する価格決定機能と、
前記テープの有無と前記窓の有無に基づいて納期を計算する納期計算機能と、
前記タイプ、前記サイズ、前記用紙の色、前記テープの有無、前記窓の有無に基づいて前記封筒の完成状態、及び、前記タイプ、前記サイズ、前記用紙の色、前記テープの有無、前記窓の有無、前記枚数、前記注文価格を出力する出力機能と、
を実現させるための封筒注文プログラム。
【発明の詳細な説明】
【技術分野】
【０００１】
本発明は、封筒を注文する技術に関する。
【背景技術】
【０００２】
従来より、葉書や封筒の表面に宛名をインターネットを通じて印刷するサービスが知られている。
【０００３】
例えば、特許文献１においては、ウエディング印刷物の作成に必要な情報データのデータベースと、インターネットを介しての利用者端末から要求信号を受けるウエブサーバ部とウエディング印刷物の生成処理を行う業務処理制御端末を備えたものが提案されている。
【先行技術文献】
【特許文献】
【０００４】
【特許文献１】特開２００１−２９０８９８号公報
【発明の概要】
【発明が解決しようとする課題】
【０００５】
上記のような従来技術は、葉書や封筒に宛名の印刷を注文する装置であって、封筒の作成を注文する装置ではない。特に、ユーザの好みに応じて封筒のサイズや用紙の種類などを変更して注文することはできないという問題点があった。
【０００６】
そこで、本発明は上記問題点に鑑み、ユーザの好みに応じた封筒を注文することができる封筒注文装置、その方法及びそのプログラムを提供する。
【課題を解決するための手段】
【０００７】
本発明は、注文する封筒が和封筒タイプか、又は、洋封筒タイプかのタイプが選択されるタイプ選択部と、前記封筒の縦長さと横長さからなるサイズが入力されるサイズ入力部と、前記封筒の色と用紙が選択される色用紙選択部と、前記封筒の蓋におけるテープの有無が選択されるテープ選択部と、前記封筒における窓の有無、前記窓のサイズ、前記窓の位置が選択される窓選択部と、前記封筒の枚数が入力される枚数入力部と、前記タイプ、前記サイズ、前記用紙の種類、前記テープの有無、前記窓の有無、前記枚数に基づいて注文価格を決定する価格決定部と、前記テープの有無と前記窓の有無に基づいて納期を計算する納期計算部と、前記タイプ、前記サイズ、前記用紙の色、前記テープの有無、前記窓の有無に基づいて前記封筒の完成状態、及び、前記タイプ、前記サイズ、前記用紙の色、前記テープの有無、前記窓の有無、前記枚数、前記注文価格を出力する出力部と、を有することを特徴とする封筒注文装置である。
【発明の効果】
【０００８】
本発明によれば、ユーザの好みに応じて封筒を注文することができる。
【図面の簡単な説明】
【０００９】
【図１】本発明の実施例の封筒注文装置のブロック図である。
【図２】価格決定部のブロック図である。
【図３】価格記憶部の内容である。
【図４】封筒注文装置のフローチャートである。
【図５】封筒の仕様画面である。
【図６】封筒用紙選択画面である。
【図７】印刷の選択画面である。
【図８】デザインの選択画面である。
【図９】文字の入力画面である。
【図１０】印刷内容の確認画面である。
【図１１】レイアウト編集画面である。
【図１２】内容の確認画面である。
【発明を実施するための形態】
【００１０】
以下、本発明の一実施例の封筒注文装置１０について図１〜図１２に基づいて説明する。
【００１１】
（１）封筒注文装置１０の構成
封筒注文装置１０の構成について、図１に基づいて説明する。図１は、封筒注文装置１０のブロック図である。
【００１２】
図１に示すように、封筒製造者がパソコンであるサーバ１を有し、ユーザがパソコンであるクライアント２を有し、このクライアント２を用いて、サーバ１の封筒注文装置１０に対し、封筒を注文する。サーバ１とクライアント２とは、インターネットを介して接続されて、封筒注文システムを構成している。
【００１３】
封筒注文装置１０は、図１に示すように、タイプ選択部１２、サイズ入力部１４、色用紙選択部１６、窓選択部１８、枚数入力部２０、価格決定部２２、納期計算部２４及び出力部２６を有する。
【００１４】
なお、この封筒注文装置１０は、サーバ１である汎用のコンピュータを基本ハードウェアとして用いて実現させる。すなわち、タイプ選択部１２、サイズ入力部１４、色用紙選択部１６、窓選択部１８、枚数入力部２０、価格決定部２２、納期計算部２４及び出力部２６は、上記のコンピュータに搭載されたプロセッサにプログラムを実行させることにより実現することができる。このとき、封筒注文装置１０は、上記のプログラムをコンピュータに予めインストールすることで実現してもよいし、ＣＤ−ＲＯＭなどの記憶媒体に記憶して、又は、ネットワークを介して上記のプログラムを配布して、このプログラムをコンピュータに適宜インストールすることで実現してもよい。
【００１５】
クライアント２は、通信部４２、キーボード、マウスなどの操作部４４、制御部４８及びディスプレイなどの表示部４６を有している。
【００１６】
（２）各部１２〜２６の説明
タイプ選択部１２は、クライアント２の操作部４４からの操作によって、注文する封筒のタイプが選択されるものであり、具体的には和封筒タイプか、又は、洋封筒タイプであるかが選択される。
【００１７】
サイズ入力部１４、クライアント２の操作部４４からの操作によって、封筒の縦の長さと横の長さからなるサイズが入力される。
【００１８】
色用紙選択部１６は、クライアント２の操作部４４からの操作によって、封筒の色と用紙がそれぞれ選択される。
【００１９】
テープ選択部１７は、クライアント２の操作部４４からの操作によって、封筒の蓋に貼り付け用のテープを付けるか否かが選択される。
【００２０】
窓選択部１８は、クライアント２の操作部４４からの操作によって、封筒の表に窓を付けるか否かが選択され、さらに窓を付ける場合のサイズが選択される。
【００２１】
枚数入力部２０は、クライアント２の操作部４４からの操作によって、注文する封筒の枚数が入力される。
【００２２】
価格決定部２２は、前記選択及び入力されたタイプ、サイズ、用紙の種類、テープの有無、窓の有無、注文した枚数に基づいて注文価格を決定する。この価格決定部２２については後から詳しく説明する。
【００２３】
納期計算部２４は、テープの有無と窓の有無に基づいて納期を計算する。この納期計算部２４についても後から詳しく説明する。
【００２４】
出力部２６は、前記入力及び選択されたタイプ、サイズ、用紙の色、テープの有無、窓の有無に基づいて封筒の完成状態をプレビューし、また、タイプ、サイズ、用紙の色、テープの有無、窓の有無、枚数、注文価格を出力する。
【００２５】
情報入力部２８は、クライアント２の操作部４４からの操作によって、封筒の表に差出人情報又は付加情報の少なくとも１つを印刷するか否かが決定される。ここで、「差出人情報」とは、この封筒を差し出す差出人の氏名又は名称、住所、電話番号、メールアドレスなどの情報を意味し、「付加情報」とは差出人情報以外の例えばロゴマーク、郵便番号を記載する欄、その他郵便に関する情報（例えば、速達など）、それ以外の印刷する文字、絵などを意味する。一般的には名入れする情報を意味する。そして、情報入力部２８は、印刷を行う場合に、クライアント２の操作部４４からの操作によって、差出人情報又は付加情報が入力される。
【００２６】
通信部４２は、クライアント２の通信部４０とインターネットを介してデータの通信を行う。
【００２７】
（３）価格決定部２２
次に、価格決定部２２について、図２に基づいて説明する。図２は、価格決定部２２のブロック図である。
【００２８】
図２に示すように、価格決定部２２は、設定サイズ決定部３２、価格記憶部３４、呼び出し部３６、価格計算部３８を有する。
【００２９】
設定サイズ決定部３２は、予め設定されている複数の設定サイズ（例えば、Ｓサイズ、Ｍサイズ、Ｌサイズ）の縦の長さと横の長さが記憶され、サイズ入力部１４に入力されたサイズの縦長さと横長さとそれぞれ比較し、入力サイズの縦長さと横長さの両方が含まれる設定サイズを決定する。ここで、サイズの縦長さと横長さの両方が含まれる設定サイズを決定するとは、入力サイズより縦長さ及び横長さ共に大きい設定サイズを決定することを意味する。
【００３０】
価格記憶部３４は、封筒のタイプ毎に設定サイズと用紙の種類に対応した基準価格を記憶している。例えば、図３は価格記憶部３４のテーブルを示し、和封筒のＳサイズにおけるケント紙を選択した場合には、１枚当たりの封筒の値段が２．０円となる。
【００３１】
呼び出し部３６は、設定サイズ決定部３２によって設定した設定サイズに対応した基準価格を価格記憶部３４から呼び出す。前記したように、和封筒タイプのＳサイズにおいてケント紙が選択されている場合には、２．０円を呼び出す。
【００３２】
価格計算部３８は、呼び出した基準価格に、テープが有る場合はテープの価格である０．５円を付加し、窓がある場合は窓の価格である１円を付加して、１枚当たりの封筒の価格を計算する。そして、入力された枚数をかけて注文価格を計算する。
【００３３】
（４）納期計算部２４
納期計算部２４は、予め設定した基準納期（例えば、１０日）に、テープが有る場合はテープ貼り付け用の納期（例えば、１日）を付加し、窓がある場合は窓を作成する納期（例えば、１日）を付加して、封筒の納期を計算する。
【００３４】
（５）封筒注文装置１０の動作状態
次に、封筒注文装置１０の動作状態について、図４のフローチャートに基づいて説明する。
【００３５】
ユーザがクライアント２を用いて、封筒製造業者のサーバ１のホームページにアクセスし、図５の画面を開く。必要であれば、ユーザのＩＤ番号、パスワードを入力して、図５の画面をクライアント２の表示部４６に表示させる。
【００３６】
ステップ１にて、図５に示すように、タイプ選択部１２、サイズ入力部１４、色用紙選択部１６、窓選択部１８が封筒の仕様決定画面を表示部４６に表示し、ユーザが操作部４４を用いて封筒の仕様を決定する。
【００３７】
第１に、ユーザは操作部４４を用いて、タイプ選択部１２における和封筒タイプか洋封筒タイプかを選択する。
【００３８】
第２に、ユーザは操作部４４を用いて、封筒のサイズをサイズ入力部１４に対し入力する。この場合に、サイズとしては、横長さ、縦長さ、蓋の長さを入力する。
【００３９】
第３に、ユーザは操作部４４を用いて、色用紙選択部１６に対し封筒の色と用紙を選択する。この場合に、設定画面に好みとする選択肢がない場合には、一覧から選ぶの部分をクリックし、図６の画面を選択する。これによって、更に細かい色と用紙の選択を行うことができる。
【００４０】
第４に、ユーザは操作部４４を用いて、テープ選択部１７に対し封筒の蓋にテープを付けるか否かを選択する。
【００４１】
第５に、ユーザは操作部４４を用いて、窓選択部１８に対し窓の有無とサイズと位置と材質を選択する。
【００４２】
最後に、上記決定した封筒の仕様をプレビューする場合には、「封筒プレビュー」のボタン５２をクリックし、仕様に合わせた封筒の画像を表示させる。そして、「次のステップ」のボタン５４をクリックすると、ステップ２に進む。
【００４３】
ステップ２にて、図７に示すように、枚数入力部２０、価格決定部２２，情報入力部２８が印刷の選択画面を表示部４６に表示する。ユーザは操作部４４を用いて、情報入力部２８に対し、封筒の表に差出人情報又は付加情報の少なくともどちらか一方を印刷するか否かを選択し、注文する枚数を枚数入力部２０に対し入力し、「確認」のボタン７２をクリックする。すると、価格決定部２２が、注文価格を上記のように計算して表示し、納期計算部２４が上記のように納期を計算して表示する。ここで、印刷有りの場合には、印刷の色が１色、２色又はフルカラーであるかを選択し、２色の場合には主版色と副版色を選択する。そして、「次のステップ」のボタン７４をクリックする。印刷なしの場合にはステップ７に進み（ｎｏの場合）、印刷ありの場合にはステップ３に進む（ｙｅｓの場合）。
【００４４】
ステップ３にて、図８に示すように、情報入力部２８がデザインの選択画面を表示部４６に表示する。ユーザは操作部４４を用いて、情報入力部２８に対し、印刷の向き、差出人情報の印刷位置、デザインを決定し、「デザインプレビュー」のボタン８２をクリックすると、封筒の完成状態が表示される。そして、「次のステップ」のボタン８４をクリックすると、ステップ４に進む。
【００４５】
ステップ４にて、図９に示すように、情報入力部２８が文字の入力画面を表示部４６に表示する。ユーザは操作部４４を用いて、情報入力部２８に対し、差出人情報を入力する。すなわち、差出人の事務所１、必要であれば事務所２及び追加行を入力し、文字の書体を入力する。そして、付加情報である郵便番号枠選択書体選択と差出人の印刷の色を選択する。「入力内容を表示」のボタン９２をクリックすると、入力した情報を記載した封筒の状態が表示される。そして、「次のステップ」のボタン９４をクリックするとステップ５に進む。
【００４６】
ステップ５にて、図１０に示すように、情報入力部２８が印刷内容確認画面を表示部４６に表示する。印刷内容確認画面には、決定した仕様の封筒に入力した差出人情報などが表示された状態が表示される。そして、この内容で良ければ「この印刷内容で決定」のボタン１０２をクリックし、自由に編集したい場合は「レイアウト自由編集」のボタン１０４をクリックし、ステップ６に進む。なお、念のために印刷して確認する場合は「印刷して確認」のボタン１０６をクリックする。
【００４７】
ステップ６にて、図１１に示すように、情報入力部２８がレイアウト編集画面を表示部４６に表示する。このステップで、今まで決定した差出人情報や付加情報のレイアウトについて、更に自由に編集することができる。例えば、ユーザは操作部４４を用いて、左上の選択ボタン１１１をクリックすると、差出人の記載位置を変更することができ、また、拡大縮小及び角度を変更することができる。文字追加ボタン１１２をクリックすると、差出人情報以外に他の情報例えばキャンペーンの情報などを付加できる。アート文字ボタン１１３をクリックすると、差出人の情報を示す文字を飾ることができる。新規画像ボタン１１４をクリックすると、他の手段で入力した画像を封筒上に取り込むことができる。登録済画像ボタン１１５をクリックすると、親展、速達など登録されている文字や画像を表示できる。直線、四角、円／楕円のボタン１１６、１１７，１１８をそれぞれクリックすると、図形を描くことができる。これによって、封筒の表面を自由に編集することができる。そして、編集が終了すれば「この内容で確定」のボタン１１９をクリックして、ステップ７に進む。なお、自由編集を行わない場合も「この内容で確定」のボタン１１９をクリックして次のステップ７に進む。
【００４８】
ステップ７にて、図１２に示すように、出力部２６が確認画面を表示部４６に表示する。この確認画面で、ユーザは、注文したい封筒の内容を最終的に確認できる。そして、この内容で注文する場合には「カートに入れる」のボタン１２２をクリックし注文を終了する。
【００４９】
この後に費用等を送金する場合には、クレジットカードの番号等を入力する。封筒製造業者は、この最終的な注文内容で封筒を製造する。
【００５０】
（６）効果
以上により本実施例の封筒注文装置１０であると、ユーザの好みに応じて封筒を注文することができ、その注文するための作業も簡単である。
【００５１】
また、封筒製造業者も、最終的な注文の内容で封筒を製造できるので、注文を受ける手数がかからない。
【００５２】
（７）変更例
本発明は上記各実施形態に限らず、その主旨を逸脱しない限り種々に変更することができる。
【００５３】
例えば、上記実施例では、ステップ６において自由編集を行うようにしたが、この自由編集の構成を除いてもよい。
【符号の説明】
【００５４】
１０  封筒注文装置
１２  タイプ選択部
１４  サイズ入力部
１６  色用紙選択部
１７  テープ選択部
１８  窓選択部
２０  枚数入力部
２２  価格決定部
２４  納期計算部
２６  出力部
【図１】
2011028444.tif 000003
【図２】
2011028444.tif 000004
【図３】
2011028444.tif 000005
【図４】
2011028444.tif 000006
【図５】
2011028444.tif 000007
【図６】
2011028444.tif 000008
【図７】
2011028444.tif 000009
【図８】
2011028444.tif 000010
【図９】
2011028444.tif 000011
【図１０】
2011028444.tif 000012
【図１１】
2011028444.tif 000013
【図１２】
2011028444.tif 000014